(57)【要約】      （修正有）【課題】重みを有するマウス、特に重みを有することによりユーザーの操作手触りを増加するマウスを提供する。【解決手段】重みを有するマウスは、一つのキャビネット，一つのカーソル制御ユニット，複数個の押しボタン，一つのカバー体および一つの重み部材を含む。キャビネットの内部に少なくとも一つの回路基板が設けられ、キャビネットの底部に複数個の重み槽が設けられ、カーソル制御ユニットが回路基板上に設置され、カーソル制御ユニットがキャビネットの底部を露出し、これらの押しボタンがキャビネットの上に設置され、カバー体がキャビネットの上に設置され、重み部材が複数個の重み塊を具し、これらの重み塊がこれらの重み槽の中に設置され、これにより、重みを具するマウスを、一つ組成し、重み塊をキャビネットの底部に設置することで、更に思い通りに操作することが出来る。【選択図】図２
0003126453.tif 000002
【実用新案登録請求の範囲】
【請求項１】
重みを具するマウスは、
内部に少なくとも一つの回路基板が設けられ、当該キャビネットの底部に複数個の重み槽が設けられるキャビネットと
当該回路基板上に設置され、当該カーソル制御ユニットが当該キャビネットの底部を露出するカーソル制御ユニットと
当該キャビネットの上に設置される複数個の押しボタンと
複数個の重み塊を具し、これらの重み塊がこれらの重み槽の中に設置される重み部材とを含むことを特徴とする重みを有するマウス。
【請求項２】
当該キャビネットの底部に複数個の槽のカバーが設けられ、これらの槽のカバーがこれらの重み槽に被せ合わせることを特徴とする請求項1に記載の重みを有するマウス。
【請求項３】
当該重み塊と当該槽のカバーとの間に、少なくとも一つの対応ライナーが設けられることを特徴とする請求項２に記載の重みを有するマウス。
【請求項４】
当該対応ライナーは、一つの弾性バファー材質部であることを特徴とする請求項３に記載の重みを有するマウス。
【請求項５】
これらの重み槽にはそれぞれ少なくとも一つの放置槽が設けられ、これらの重み塊がこれらの放置槽の中に設置されることを特徴とする請求項１に記載の重みを有するマウス。
【請求項６】
当該キャビネットの上に一つのローラーが設けられ、当該ローラーが当該回路基板と電気的に接続することを特徴とする請求項１に記載の重みを有するマウス。
【請求項７】
当該キャビネットの上に一つのカバー体が設けられることを特徴とする請求項１に記載の重みを有するマウス。
【請求項８】
当該カバー体は、螺合または係合の方式により当該キャビネットに接続することを特徴とする請求項７に記載の重みを有するマウス。  
【考案の詳細な説明】
【技術分野】
【０００１】
本考案は、重みを有するマウス、特に重みを有することによりユーザーの操作手触りを増加するマウスに関する。
【背景技術】
【０００２】
従来の重みを有するマウスについて、例えば中華民国の特許証書M２８３２４４号（公開日付：２００５年１２月１１日）には、「重心の調整可能なマウス構造」を掲示するが、これが一つのキャビネット、一つのカーソル制御ユニット、複数個の押しボタン、一つのカバー体および一つの重み素子を含み、当該キャビネットの内部に一つの回路基板が設けられ、当該カーソル制御ユニットが当該回路基板上に設置され、当該カーソル制御ユニットが当該キャビネットの底部を露出し、これらの押しボタンが当該キャビネットの上に設置され、当該重み素子が当該キャビネットの上に固定される。
【０００３】
しかしながら、前記の従来のマウス構造について、当該重み素子は、マウス内部の上方に固定されることにより、ユーザーがマウスを操作する時に操作の手触りが不良でアンバランスの感じを招く。
【０００４】
従って、本創作者は、前記の欠点を改善できることを感じるため、特に鋭意研究しかつ学理の運用に対応し、ついに設計が合理でかつ前記の欠点を有効に改善する本考案を提出するに至る。
【考案の開示】
【考案が解決しようとする課題】
【０００５】
本考案の主要な目的は、重みを有するマウスを提供するものであるが、このマウスは、重み塊を当該キャビネットの底部に設置することにより、ユーザーがマウスを操作する時に、更に使い易く、アンバランスの感じを有しない。
【０００６】
前記の目的を達成するために、本考案は、重みを有するマウスを提供し、一つのキャビネット、一つのカーソル制御ユニット、複数個の押しボタン、一つのカバー体および一つの重み部材を含み、当該キャビネットの内部に少なくとも一つの回路基板が設けられ、当該キャビネットの底部に複数個の重み槽が設けられ、当該カーソル制御ユニットが当該回路基板上に設置され、当該カーソル制御ユニットが当該キャビネットの底部を露出し、これらの押しボタンが当該キャビネットの上に設置され、当該カバー体が当該キャビネットの上に設置され、当該重み部材が複数個の重み塊を具し、これらの重み塊がこれらの重み槽の中に設置される。
【０００７】
ひいては本考案の特徴および技術内容をより理解できるために、以下の本考案に関する詳細な説明及び添付図面を参照するが、しかしながら添付の図面が参考と説明用にだけ供し、本考案をより限定するように用いられるものではない。
【実施例１】
【０００８】
図１及び図２に示すように、本考案は、重みを具するマウスを提供し、一つのキャビネット１、一つのカーソル制御ユニット２、複数個の押しボタン３、一つのカバー体４および一つの重み部材5を含む。
【０００９】
キャビネット１は、プラスチック材料部で、キャビネット１の内部に一つの回路基板が設けられる（図省略）。カーソル制御ユニット２が光学式制御装置で、カーソル制御ユニット２が回路基板と電気的に接続し、カーソル制御ユニット２が回路基板の上に設置され、且つカーソル制御ユニット２がキャビネット１の底部を露出し、カーソル制御ユニット２により、マウス・カーソルの移動方向および距離を制御する。さらに、カーソル制御ユニット２も、機械式または他の方式の制御装置であってもよい。さらに、キャビネット１の上に一つのローラー１１が設けられ、ローラー１１が回路基板と電気的に接続し、ローラー１１を転げることにより、ウィンドーを巻くことが出来る。
【００１０】
これらの押しボタン３は、キャビネット１の上に設置され、これらの押しボタン３が回路基板と電気的に接続し、これらの押しボタン３の押え付けにより、機能表のコマンド、文字またはパターン、対話ボックスの中における押しボタンや項目、上下ページのひっくり返り、表示快速選択表などの機能を選択する。
【００１１】
カバー体４は、プラスチック材料部で、カバー体４が螺合または係合の方式によりキャビネット１に接続され、カバー体４がキャビネット１の上に設置されるが、前記のマウス構造が大体従来の構造と同じで、本考案の実用新案登録請求の範囲ではないため、くどくど述べることがない。
【００１２】
キャビネット１は、二つの重み槽１２と二つの槽のカバー１３を具し、二つの重み槽１２がそれぞれキャビネット１の底部の前段および後段に設置され、二つの重み槽１２にそれぞれ複数個の円形を呈する放置槽１２１が設けられ、二つの槽のカバー１３がそれぞれ二つの重み槽１２に被せ合わせる。重み部材５は、複数個の円柱状を呈する重み塊５１を具し、これらの重み塊５１が金属のより重い材質から製造され、これらの重み塊５１が二つの重み槽１２の放置槽１２１の中に設置され、これらの重み塊５１の数量がユーザーの操作習慣により増減できる。さらに、これらの重み塊５１と槽のカバー１３との間に、一つの対応ライナー６が設けられ、対応ライナー６が弾性バファー材質部で、対応ライナー６により、重み塊５１と槽のカバー１３が使用中で衝突して異音を生成することを避け、前記の組成により、本考案の重みを具するマウスを形成する。
【００１３】
本考案中の重み塊５１は、キャビネット１の底部の前段および後段に設置されることにより、マウスの重心がもっと安定し、使用する時にアンバランスの感じを具しなく、ユーザーがマウスを操作する時に、もっと思い通りになることが出来る。
【００１４】
ただ以上の叙述は、本考案のより好ましい実施可能な実施例だけであり、これにより本考案の実用新案登録請求の範囲を限定するものではなく、従って本考案の明細書及び図面の内容を応用してなる等価な構造変化の全てが、いずれも全て同義に本考案の範囲内に含まれ、ここに合わせて陳述する。
【図面の簡単な説明】
【００１５】
【図１】本考案の重みを有するマウスの実施例の斜視図である。
【図２】本考案の重みを有するマウスの実施例の斜視分解図である。
【符号の説明】
【００１６】
1  キャビネット
２  カーソル制御ユニット
３  押しボタン
４  カバー体
５  重み部材
６  対応ライナー
１１  ローラー
１２  重み槽
１３  槽のカバー
５１  重み塊
１２１  放置槽
【図１】
0003126453.tif 000003
【図２】
0003126453.tif 000004